(57)【要約】【課題】レセプタクル及びレセプタクルに挿入、嵌合されるプラグを使用することなく、撮像モジュール等の電子モジュールと他の機器との電気接続を簡便に行なえる技術の開発。【解決手段】電子素子１１に電気ケーブル１３を介して後側基板１４が電気接続された電子モジュール１０と、外部接続端子３２ａと、外部接続端子３２ａが電気接続された端子接続電極を備える中継用基板３１と、端子接続電極と電気接続された中継導体を備え、中継用基板３１に取り付けられたコネクタベース部材２０Ａと押さえ部材２３との間に電子モジュールの後側基板１４を挟持し後側基板１４の電極を中継導体の接触部に押し付けて電気接続する中継部コネクタ２０とを有する電子部品ユニットＵ１を提供する。【選択図】図１
2020042915.tif 000002
【特許請求の範囲】
【請求項１】
撮像素子、レーザ素子、センサ素子のいずれかである電子素子に電気ケーブルを介して後側基板が電気接続された電子モジュールと、
外部回路と電気接続される外部接続端子と、
前記外部接続端子が直接あるいは接続導体を介して電気接続された端子接続電極を備える中継用基板と、
前記中継用基板に取り付けられ、前記中継用基板に形成された配線を介して前記端子接続電極と電気接続された中継導体に前記電子モジュールの前記後側基板に形成された電極を接触させて電気接続する中継部コネクタとを有し、
前記中継部コネクタは、前記中継用基板に取り付けられたコネクタベース部材と、前記コネクタベース部材に設けられた前記中継導体と、前記電子モジュールの前記後側基板を前記コネクタベース部材との間に挟み込んで前記後側基板の前記電極を前記中継導体の接触部に押し付ける押さえ部材とを有する電子部品ユニット。
【請求項２】
前記中継用基板に取り付けられた外部接続コネクタをさらに有し、
前記外部接続コネクタは、前記外部接続端子が設けられた端子支持体と、前記中継用基板に前記中継用基板の外周から突出状態に取り付けられ前記端子支持体を収容する収容筒とを有し、
前記外部接続端子は、前記端子支持体の前記収容筒内に確保された相手コンタクト挿入空間に臨む側に設けられ、かつ、前記中継用基板側に位置する基端部が前記中継用基板の前記端子接続電極に電気接続されている請求項１に記載の電子部品ユニット。
【請求項３】
電線が電気接続された前記外部接続端子と、前記外部接続端子を収容して前記中継用基板及び前記中継部コネクタの周囲に組み立てられるコネクタハウジングとを有し、
前記外部接続端子は、前記電線を含む前記接続導体を介して前記中継用基板の前記端子接続電極に電気接続されている請求項１に記載の電子部品ユニット。
【請求項４】
前記コネクタベース部材は前記後側基板が当接される基板支持面を有し、
前記押さえ部材は前記コネクタベース部材に係合する係合部と、前記係合部を前記コネクタベース部材に係合させた状態において前記後側基板を前記基板支持面に押さえ込む押さえ部とを有する請求項１〜３のいずれか１項に記載の電子部品ユニット。
【請求項５】
前記電子モジュールの前記電子素子の前端面における第１対角線の長さをＤ１とし、前記後側基板の断面における第２対角線の長さをＤ２とした場合、長さＤ２は長さＤ１以下である請求項１〜４のいずれか１項に記載の電子部品ユニット。
【発明の詳細な説明】
【技術分野】
【０００１】
本発明は、撮像素子、レーザ素子、センサ素子のいずれかである電子素子に電気ケーブルを介して後側基板が電気接続された電子モジュールを含む電子部品ユニットに関する。
【背景技術】
【０００２】
電子内視鏡にあっては、固体撮像素子（以下、単に撮像素子とも言う）を配線基板を介して電気ケーブルの先端に電気的に接続した構成の撮像モジュールが多く採用されている（例えば特許文献１）。
この種の撮像モジュールでは、配線基板の配線に複数本の電気ケーブル先端が電気的に接続され、配線基板の配線を介して各電気ケーブルが撮像素子と電気的に接続される。
また、この種の撮像モジュールについては、電子内視鏡システムのビデオスコープ装置に組み込む際に、樹脂製の細いチューブに通す工程を行い、この工程の後、各電気ケーブルの先端とは逆端（後端）を、モニタを含むビデオ処理表示装置と電気的に接続された中継用基板に半田付けすることが広く行なわれていた。
【先行技術文献】
【特許文献】
【０００３】
【特許文献１】特開２００６−１０９０９７号公報
【発明の概要】
【発明が解決しようとする課題】
【０００４】
撮像モジュールを樹脂製のチューブに通す工程は、撮像モジュールを撮像素子側からチューブに挿入していく場合の他、撮像モジュールをその後端（近位側の端。具体的には電気ケーブル後端）からチューブに挿入していくことも広く行なわれている。
例えば、撮像モジュールの後端にビデオ処理表示装置側のレセプタクルに脱着可能に嵌合する電気接続用のプラグを組み立てた場合は、撮像モジュールをその後端側からチューブに挿通することが出来ないのが通常であった。このため、撮像モジュールをその後端からチューブに通す工程では、撮像モジュールの電気ケーブル後端をプラグ無しのケーブル端のままチューブに挿入していた。その結果、ビデオスコープ装置の組み立て時や修理時にケーブル端部と基板（中継用基板）との半田付けが必要であり、この作業に手間が掛っていた。また、極細ケーブルを使用する場合は半田付けの作業難易度が高く、半田付けの手間が嵩むのが実情であった。
【０００５】
本発明の態様が解決しようとする課題は、レセプタクル及びレセプタクルに挿入、嵌合されるプラグを使用することなく、撮像モジュール等の電子モジュールと他の機器との電気接続を簡便に行なうことができる電子部品ユニットを提供することである。
【課題を解決するための手段】
【０００６】
上記課題を解決するために、本発明では以下の態様を提供する。
第１の態様の電子部品ユニットは、撮像素子、レーザ素子、センサ素子のいずれかである電子素子に電気ケーブルを介して後側基板が電気接続された電子モジュールと、外部回路と電気接続される外部接続端子と、前記外部接続端子が直接あるいは接続導体を介して電気接続された端子接続電極を備える中継用基板と、前記中継用基板に取り付けられ、前記中継用基板に形成された配線を介して前記端子接続電極と電気接続された中継導体に前記電子モジュールの前記後側基板に形成された電極を接触させて電気接続する中継部コネクタとを有し、前記中継部コネクタは、前記中継用基板に取り付けられたコネクタベース部材と、前記コネクタベース部材に設けられた前記中継導体と、前記電子モジュールの前記後側基板を前記コネクタベース部材との間に挟み込んで前記後側基板の前記電極を前記中継導体の接触部に押し付ける押さえ部材とを有する。
上述の電子部品ユニットは、前記中継用基板に取り付けられた外部接続コネクタをさらに有し、前記外部接続コネクタは、前記外部接続端子が設けられた端子支持体と、前記中継用基板に前記中継用基板の外周から突出状態に取り付けられ前記端子支持体を収容する収容筒とを有し、前記外部接続端子は、前記端子支持体の前記収容筒内に確保された相手コンタクト挿入空間に臨む側に設けられ、かつ、前記中継用基板側に位置する基端部が前記中継用基板の前記端子接続電極に電気接続されていていても良い。
上述の電子部品ユニットは、電線が電気接続された前記外部接続端子と、前記外部接続端子を収容して前記中継用基板及び前記中継部コネクタの周囲に組み立てられるコネクタハウジングとを有し、前記外部接続端子は、前記電線を含む前記接続導体を介して前記中継用基板の前記端子接続電極に電気接続されていても良い。
前記コネクタベース部材は前記後側基板が当接される基板支持面を有し、前記押さえ部材は前記コネクタベース部材に係合する係合部と、前記係合部を前記コネクタベース部材に係合させた状態において前記後側基板を前記基板支持面に押さえ込む押さえ部とを有していても良い。
上述の電子部品ユニットは、前記電子モジュールの前記電子素子の前端面における第１対角線の長さをＤ１とし、前記後側基板の断面における第２対角線の長さをＤ２とした場合、長さＤ２は長さＤ１以下であっても良い。
【発明の効果】
【０００７】
本発明の態様に係る電子部品ユニットによれば、電子モジュールの後側基板を中継部コネクタの押さえ部材によって中継部コネクタの中継導体の接触部に押し付けるだけで、電子モジュールと中継導体との電気接続を簡単に実現できる。その結果、中継部コネクタの中継導体を介して電気モジュールと中継用基板との電気接続を簡単に実現できる。
【０００８】
また、本発明の態様に係る電子部品ユニットによれば、電子モジュールの後側基板に、電子素子及び電気ケーブルを収容するチューブに挿入可能なサイズなものを採用することで、例えば、電子モジュールの電子素子を収容可能な範囲で出来るだけ細径化したチューブを使用することが可能となる。
【図面の簡単な説明】
【０００９】
【図１】本発明の第１実施形態に係る電子部品ユニット（撮像ユニット）及びそれを使用する電子内視鏡システムの一例を示す図である。
【図２】図１の電子内視鏡システムの撮像モジュールの構成を説明する断面図である。
【図３】図１の電子部品ユニット（撮像ユニット）の外部接続コネクタの外部接続端子を電気接続した中継用基板の端子接続電極付近を示す平面図である。
【図４】図１の電子部品ユニット（撮像ユニット）の外部接続コネクタをその先端（中継用基板に対する突端）側から見た構成を示す図である。
【図５】図１の電子部品ユニットの中継ユニットの中継部コネクタを示す斜視図であり、押さえ部材をハウジングに対して開いた状態を示す。
【図６】図５の中継部コネクタについて、ハウジングに対して閉じて閉維持係止状態とした押さえ部材とハウジングとの間に電子モジュールの後側基板を挟持固定した状態を示す斜視図である。
【図７】図５の中継部コネクタのコンタクト収容溝付近を示す横断面図である。
【図８】図６の中継部コネクタのコンタクト収容溝付近を示す横断面図である。
【図９】図５の中継部コネクタのコンタクトを示す斜視図である。
【図１０】図１の電子部品ユニット（撮像ユニット）の撮像モジュールの後側基板の第１面側を示す図である。
【図１１】図１０の後側基板の導体接続端子に対する撮像モジュールの電気ケーブルの同軸ケーブルの導体の接続状態を示す図である。
【図１２】撮像モジュールの撮像素子付近を示す斜視図である。
【図１３】撮像モジュールの後側基板の前端部付近を示す断面図である。
【図１４】第２実施形態の電子部品ユニットの基板収容ハウジングの組み立て前における、中継ユニット付近を示す図である。
【図１５】図１４の電子部品ユニットに組み立てた基板収容ハウジング、外部接続コネクタの一例を示す図であって、（ａ）は外部接続コネクタのその先端（挿入端）側から見た構造、（ｂ）は外部接続コネクタの側面視した構造を示す。
【図１６】中継部コネクタの変形例を示す斜視図であり、押さえ部材をハウジングに対して開いた状態を示す。
【図１７】図１６の中継部コネクタについて、ハウジングに対して閉じて閉維持係止状態とした押さえ部材とハウジングとの間に接続用端部基板（撮像モジュールの後側基板）を挟持した状態を示す斜視図である。
【図１８】図１６の中継部コネクタのコンタクト収容溝付近を示す横断面図である。
【図１９】図１６の中継部コネクタの位置決めピン及び誤挿入防止突壁の付近を示す拡大正断面図である。
【発明を実施するための形態】
【００１０】
以下、本発明の実施形態に係る電子部品ユニットについて図面を参照して説明する。
【００１１】
（第１実施形態）
まず、本発明に係る第１実施形態の電子部品ユニットについて説明する。
図１に示す電子部品ユニットＵ１は、電子内視鏡システム５０のビデオスコープ装置の一部として用いることができる撮像ユニットである。
図１に示すように、電子部品ユニットＵ１は、撮像素子１１（電子素子）を含む電子モジュールである撮像モジュール１０と、撮像モジュール１０の電気回路を外部回路と電気接続する中継ユニット３０とを有する。
【００１２】
図１、図２に示すように、撮像モジュール１０は、撮像素子１１（電子素子）と、撮像素子１１が実装された配線基板１２（以下、ヘッド側基板とも言う）と、ヘッド側基板１２の配線（図示略）を介して撮像素子１１に電気接続された電気ケーブル１３と、電気ケーブル１３のヘッド側基板１２の配線に接続された前端とは逆の後端に電気接続された後側基板１４とを有する。
【００１３】
また、図２は、撮像モジュール１０の撮像素子１１、ヘッド側基板１２、電気ケーブル１３が樹脂製の可撓性に優れるチューブ１５に収容されたチューブ付きモジュール１６を示す。
但し、撮像モジュール１０の後側基板１４はチューブ１５に収容されず、チューブ１５の端（後端）から外側に突出状態に露呈されている。
【００１４】
図１に示すように、中継ユニット３０は、中継用基板３１と、中継用基板３１の片側の主面３１ａに取り付けられた中継部コネクタ２０と、中継用基板３１に取り付けられた外部接続コネクタ３２とを有する。
また、図１の中継ユニット３０は、中継用基板３１及び中継部コネクタ２０の周囲に組み立てて、中継用基板３１及び中継部コネクタ２０を収容する基板収容ハウジング３３も有している。
【００１５】
図５に示すように、中継部コネクタ２０は、複数のコンタクト２１（中継導体）と、コンタクト２１を保持するハウジング２２と、ハウジング２２に回転自在に軸支された押さえ部材２３とを有する。
また、中継部コネクタ２０は、撮像モジュール１０の後側基板１４をハウジング２２に対して位置決めする位置決め手段（長手方向位置決め手段２４及び幅方向位置決め手段２５）も有している。
【００１６】
中継部コネクタ２０は、ハウジング２２に長手方向位置決め手段２４及び幅方向位置決め手段２５が設けられた構成のコネクタベース部材２０Ａを有する。
また、中継部コネクタ２０は、コネクタベース部材２０Ａにコンタクト２１が設けられた構成のベースユニット２０Ｕを有する。
【００１７】
図８に示すように、中継部コネクタ２０のコンタクト２１は、撮像モジュール１０の後側基板１４に形成されている電極１４ｃに接触される接触部２１ａ、及び中継用基板３１の配線３１ｂに半田付けによって電気接続された接続部２１ｂを有する。
中継部コネクタ２０の押さえ部材２３は、撮像モジュール１０の後側基板１４をハウジング２２との間に挟み込んで、後側基板１４の電極１４ｃをコンタクト２１の接触部２１ａに押し付ける役割を果たす。
【００１８】
コンタクト２１の接続部２１ｂの中継用基板３１の配線３１ｂに対する電気接続は、半田付けに限定されず、例えば中継用基板３１に設けられた固定用金属片の折曲や中継用基板３１に嵌合固定可能なクリップによって接続部２１ｂを配線３１ｂに押さえ込む機械的固定等によって実現しても良い。
【００１９】
中継部コネクタ２０は、後側基板１４の電極１４ｃを含む撮像モジュール１０の電気回路と中継用基板３１の配線３１ｂとをコンタクト２１を介して電気接続する。
【００２０】
図１に示す電子内視鏡システム５０はモニタを含むビデオ処理表示装置５１を有する。
ビデオ処理表示装置５１には、中継ユニット３０の外部接続コネクタ３２を挿脱可能なレセプタクル５２が設けられている。
中継ユニット３０の外部接続コネクタ３２は、ビデオ処理表示装置５１のレセプタクル５２に挿入嵌合することで、ビデオ処理表示装置５１の電気回路と、配線３１ｂを含む中継用基板３１の電気回路とを電気接続する役割を果たす。
【００２１】
中継部コネクタ２０のコンタクト２１（図５）を介して撮像モジュール１０の回路と中継用基板３１の配線３１ｂとを電気接続した中継ユニット３０は、外部接続コネクタ３２をビデオ処理表示装置５１のレセプタクル５２に挿入嵌合することで、ビデオ処理表示装置５１の電気回路（外部回路）と撮像モジュール１０の電気回路とを電気接続する。
【００２２】
図３、図４に示すように、外部接続コネクタ３２は、外部接続端子３２ａと、外部接続端子３２ａが固定された端子支持体３２ｂと、端子支持体３２ｂを外部接続端子３２ａとともに収容する収容筒３２ｃとを有する。
【００２３】
図４に示すように、収容筒３２ｃは、断面長方形状の扁平な矩形枠状に形成されている。図１に示すように、収容筒３２ｃの軸線方向片側の端部（基端部）は中継用基板３１の主面３１ａの外周部に固定されている。収容筒３２ｃは、中継用基板３１に対して、中継用基板３１の主面３１ａの外周部に固定された基端部以外の部分が中継用基板３１外周から外側へ突出された状態に取り付けられている。また、収容筒３２ｃは、その軸線が中継用基板３１の主面３１ａに平行な向きで中継用基板３１に取り付けられている。
【００２４】
図４に示す端子支持体３２ｂはプレート状に形成されている。端子支持体３２ｂは、その片面を収容筒３２ｃ内面に当接させて収容筒３２ｃに固定されている。
図４に示すように、収容筒３２ｃ内側には、外部接続コネクタ３２を挿入嵌合するレセプタクル側のコンタクトが挿入される相手コンタクト挿入空間３２ｄが確保されている。図４において、相手コンタクト挿入空間３２ｄは、端子支持体３２ｂを介して、端子支持体３２ｂの収容筒３２ｃ内面に当接させた面とは逆の側に確保されている。
【００２５】
外部接続端子３２ａは、端子支持体３２ｂの相手コンタクト挿入空間３２ｄに臨む側に設けられている。
外部接続端子３２ａは、レセプタクルに挿入嵌合したときに、端子支持体３２ｂの相手コンタクト挿入空間３２ｄに挿入されたレセプタクル側コンタクトに接触し、レセプタクル側コンタクトに電気接続されている外部回路と導通される。
【００２６】
図３、図４等に示す外部接続端子３２ａは、銅等の良導体によって形成された帯状金属片である。
図３に示すように、外部接続端子３２ａは、収容筒３２ｃの基端部側の開口部から中継用基板３１の主面３１ａ上に突出された基端部を有する。外部接続端子３２ａは、その基端部を中継用基板３１の主面３１ａに形成された端子接続電極３１ｃに半田付けによって電気接続されている。外部接続端子３２ａは、中継用基板３１の端子接続電極３１ｃ及び配線３１ｂを介して中継部コネクタ２０のコンタクト２１と電気接続されている。
【００２７】
外部接続コネクタ３２の外部接続端子３２ａは、外部接続コネクタ３２をビデオ処理表示装置５１（図１参照）のレセプタクル５２に挿入嵌合することで、レセプタクル５２のコンタクトと接触され、レセプタクル５２側コンタクトを介してビデオ処理表示装置５１の電気回路と導通される。
したがって、中継ユニット３０は、外部接続コネクタ３２をビデオ処理表示装置５１のレセプタクル５２に挿入嵌合することで、中継部コネクタ２０のコンタクト２１をビデオ処理表示装置５１の電気回路と電気接続できる。
【００２８】
図３、図４等に示す外部接続コネクタ３２の収容筒３２ｃは導電性金属によって形成されている。収容筒３２ｃは電磁波シールドカバーの役割を果たす。
収容筒３２ｃは、例えば、外部接続コネクタ３２を挿入、嵌合したレセプタクルのグランド用コンタクトと接触させて接地させることができる。
なお、収容筒３２ｃは、導電性金属によって形成されたものに限定されず、例えばプラスチック製のものも採用可能である。
【００２９】
収容筒３２ｃは、ＵＳＢ（ユニバーサル・シリアル・バス）規格に適合するコネクタの種々形状の収容筒（シールドフレーム）を好適に採用できる。
収容筒３２ｃは、扁平な矩形枠状（図４参照）に限定されない。
【００３０】
次に、中継ユニット３０の中継部コネクタ２０をより詳しく説明する。
なお、中継部コネクタ２０について、図５〜図８において、上側を上、下側を下、として説明する。
【００３１】
図５に示す中継部コネクタ２０のハウジング２２は樹脂製の板状部材である。ハウジング２２は電気絶縁性を有する。
また、図５に示すハウジング２２は細長板状に形成されている。
【００３２】
図５に示すように、ハウジング２２は、コンタクト２１を収容するコンタクト収容溝２６が複数形成されたコンタクト配置領域２２Ｃと、コンタクト配置領域２２Ｃを介して両側の台部（第１台部２２Ａ、第２台部２２Ｂ）とを有する。
コンタクト配置領域２２Ｃはハウジング２２の長手方向中央部に位置する。
第１台部２２Ａ及び第２台部２２Ｂは、ハウジング２２のその長手方向におけるコンタクト配置領域２２Ｃを介して両側の部分である。
【００３３】
図７、図８に示すように、ハウジング２２は、中継用基板３１の主面に重ね合わせるように当接される平坦な底面２２ａと、底面２２ａの逆側に底面２２ａと平行に形成された上面である基板支持面２２ｂとを有する。
基板支持面２２ｂ上には、撮像モジュール１０の後側基板１４が載置される。
【００３４】
ハウジング２２について、その底面２２ａ及び基板支持面２２ｂの間隔方向（図５、図７、図８における上下方向）を、以下、高さ方向、とも言う。
図７、図８に示すように、ハウジング２２は、その長手方向に垂直の断面において高さ方向に対して垂直方向片側の側面である前面２２ｃ、及び前面２２ｃとは逆側の側面である後面２２ｄ、も有している。
なお、図５に示すように、以下、ハウジング２２の長手方向両側の端面のうち第１台部２２Ａ側の端面２２ｅを第１端面、第２台部２２Ｂ側の端面２２ｆを第２端面、とも言う。
【００３５】
図５、図７、図８に示すように、ハウジング２２のコンタクト配置領域２２Ｃのコンタクト収容溝２６は、ハウジング２２にその基板支持面２２ｂから底面２２ａに向かって窪んで形成されている。また、コンタクト収容溝２６は、ハウジング２２の前面２２ｃ及び後面２２ｄのうち前面２２ｃのみに開口させて形成されている。
【００３６】
ハウジング２２は、コンタクト収容溝２６の下側に位置して底面２２ａの一部を形成する溝底壁２２ｇを有する。コンタクト収容溝２６は、ハウジング２２高さ方向において、ハウジング２２の基板支持面２２ｂから溝底壁２２ｇまでの範囲に形成されている。
ハウジング２２は、コンタクト収容溝２６のハウジング後面２２ｄ側を塞ぐ溝後壁２２ｈも有する。
【００３７】
ハウジング２２の複数のコンタクト収容溝２６は、それぞれハウジング２２長手方向に垂直に延在形成されている。また、コンタクト収容溝２６は、ハウジング２２のコンタクト配置領域２２Ｃにおけるハウジング２２長手方向複数個所に互いに平行に形成されている。
ハウジング２２の複数のコンタクト収容溝２６のコンタクト収容溝２６間の間隔方向（配列ピッチ方向）はハウジング２２長手方向に一致している。
各コンタクト収容溝２６にひとつずつ収容されているコンタクト２１は、ハウジング２２長手方向に配列されている。ハウジング２２に設けられた複数のコンタクト２１は、ハウジング２２長手方向に一致する配列ピッチ方向で配列されている。
【００３８】
図７、図８、図９に示すように、コンタクト２１は、１本の金属帯板によって形成された一体成形品である。
コンタクト２１を形成する金属帯板の材質は、例えば、銅、アルミニウム等の導体金属である。
【００３９】
金属帯板の長手方向中央部には金属帯板がその板厚方向に湾曲成形された屈曲部２１ｃ（以下、中央屈曲部、とも言う）が形成されている。
コンタクト２１は、金属帯板長手方向において中央屈曲部２１ｃを介して片側の主板部２１ｄと、中央屈曲部２１ｃから主板部２１ｄに対して鋭角の開き角を確保して傾斜して延在する可動板部２１ｅとを有する。
【００４０】
図７、図８、図９に示すように、コンタクト２１の主板部２１ｄは中央屈曲部２１ｃから真っ直ぐに延在形成されている。
図７、図８に示すように、コンタクト２１は、主板部２１ｄ（具体的には主板部２１ｄの片面）がハウジング２２の溝底壁２２ｇ上に配置され、ハウジング２２の溝後壁２２ｈ付近に配置された中央屈曲部２１ｃから延在する可動板部２１ｅが主板部２１ｄ上に位置する状態でコンタクト収容溝２６に収容されている。
【００４１】
図９に示すように、コンタクト２１の主板部２１ｄのその延在方向における中央屈曲部２１ｃとは逆側の先端部には、主板部２１ｄからその延在方向に垂直の板幅方向両側に張り出す張り出し部２１ｆが形成されている。また、コンタクト２１の主板部２１ｄには、主板部２１ｄの板幅方向両側の張り出し部２１ｆから主板部２１ｄ板幅方向に互いに離間するように突出する固定用突起２１ｇも形成されている。
固定用突起２１ｇは、コンタクト２１の主板部２１ｄ延在方向における両端から中央部に行くにしたがって張り出し部２１ｆからの主板部２１ｄ板幅方向への突出寸法が増大する山形に形成されている。
【００４２】
図５、図７、図８に示すハウジング２２のコンタクト収容溝２６は、ハウジング２２の基板支持面２２ｂから溝底壁２２ｇまで窪む主溝部２６ａと、主溝部２６ａの溝底部の溝幅方向両側の内側面に形成された案内溝２６ｂとを有する。
案内溝２６ｂは、コンタクト２１の主板部２１ｄの張り出し部２１ｆ及び固定用突起２１ｇをハウジング２２の前面２２ｃ側から挿入可能に形成されている。案内溝２６ｂは、コンタクト収容溝２６の主溝部２６ａの溝幅方向（ハウジング２２長手方向に一致）両側の内側面に、ハウジング２２の前面２２ｃから溝後壁２２ｈに向かって延在形成されている。コンタクト２１の主板部２１ｄは、張り出し部２１ｆ及び固定用突起２１ｇが案内溝２６ｂに挿入されることで、案内溝２６ｂ内面によってハウジング２２の溝底壁２２ｇからの浮き上がりが規制される。
【００４３】
コンタクト２１は、ハウジング２２の前面２２ｃ側から、主板部２１ｄを溝底壁２２ｇ上面にスライド移動させながら中央屈曲部２１ｃが先頭の向きでコンタクト収容溝２６に押し込んでコンタクト収容溝２６に収容する。
コンタクト２１は、ハウジング２２の前面２２ｃ側から押し込んでコンタクト収容溝２６に収容する際、張り出し部２１ｆ及び固定用突起２１ｇを案内溝２６ｂに挿入する。コンタクト２１の主板部２１ｄの板幅方向両側に突出する固定用突起２１ｇの突端間の離間距離は、コンタクト収容溝２６両側の案内溝２６ｂの主溝部２６ａとは逆側の内面間の距離よりも僅かに大きい。コンタクト収容溝２６に挿入されたコンタクト２１の主板部２１ｄは、その両側の固定用突起２１ｇの突端がそれぞれコンタクト収容溝２６の案内溝２６ｂの主溝部２６ａとは逆側の内面に圧接されることでハウジング２２に固定される。また、その結果、コンタクト２１はハウジング２２の所定位置に保持される。
【００４４】
コンタクト２１の主板部２１ｄをハウジング２２の所定位置に保持するための構造（コンタクト保持構造）は、コンタクト２１の固定用突起２１ｇの案内溝２６ｂ内面に対する圧接に限定されない。
コンタクト保持構造は、例えば、ハウジング２２のコンタクト収容溝２６内面から突出された弾性係止片（ハウジングランス）と、コンタクト２１の主板部２１ｄに形成された係合突部または係合凹部との係合によって、主板部２１ｄをハウジング２２の所定位置に保持する構成も採用可能である。
【００４５】
コンタクト２１は、主板部２１ｄのその延在方向（長手方向）における中央屈曲部２１ｃとは逆側の端から可動板部２１ｅとは逆側（下側）へ主板部２１ｄに対して４５度以下の傾斜角度で傾斜して延出された延出片部２１ｈと、延出片部２１ｈの主板部２１ｄとは逆側の端から延出された接続部２１ｂとを含む。
延出片部２１ｈ及び接続部２１ｂはコンタクト２１を形成する金属帯板の一部である。
接続部２１ｂは延出片部２１ｈの主板部２１ｄとは逆側の端から主板部２１ｄと平行に延出されている。
【００４６】
図５〜図８に示すように、コンタクト２１の接続部２１ｂは、中継用基板３１の中継部コネクタ２０のハウジング２２が配置された主面３１ａに形成されている配線３１ｂに半田付けされ、配線３１ｂに電気接続されている。
コンタクト２１はその全体が中継用基板３１の主面３１ａの配線３１ｂと導通されている。
【００４７】
図７、図８に示すように、中継部コネクタ２０のコネクタベース部材２０Ａは、ハウジング２２の底面２２ａから突出された嵌合突起２２ｊを有する。コネクタベース部材２０Ａは、ハウジング２２の嵌合突起２２ｊを中継用基板３１に形成された嵌合孔３１ｃに挿入嵌合させ、ハウジング２２の底面２２ａを中継用基板３１の主面３１ａに当接させて中継用基板３１に取り付けられている。
また、コネクタベース部材２０Ａは、複数のコンタクト収容溝２６のそれぞれに挿入されたコンタクト２１の接続部２１ｂの中継用基板３１の配線３１ｂへの半田付けによっても、中継用基板３１に対する固定力が確保されている。
【００４８】
コンタクト２１の接触部２１ａは、可動板部２１ｅの中央屈曲部２１ｃとは逆側の端部（先端部）に形成されている。
図７、図８、図９に示すコンタクト２１の可動板部２１ｅの先端部は、可動板部２１ｅがその板厚方向に屈曲され上側に凸の山形に形成された先端屈曲部２１ｉを有する。
図７、図８、図９に示すコンタクト２１の接触部２１ａは、具体的には、可動板部２１ｅの先端屈曲部２１ｉの外角側に可動板部２１ｅ延在方向に沿って延在形成されたリブ状突部である。
【００４９】
なお、コンタクト２１の接触部２１ａは、可動板部２１ｅ先端部に形成されたリブ状突部に限定されず、適宜変更可能である。コンタクト２１は、リブ状突部である接触部２１ａを省略して、例えば、可動板部２１ｅ先端部の先端屈曲部２１ｉ自体を接触部として用いても良い。
【００５０】
図５、図６に示すように、押さえ部材２３は、天板２３ａと、天板２３ａの一端部から天板２３ａ片面側に突出された一対の軸支用突片２３ｂと、天板２３ａの他端部から天板２３ａ片面側に突出された係合板片２３ｃとを有する。
押さえ部材２３の一対の軸支用突片２３ｂは、ハウジング２２に対して、ハウジング２２の後部（図７、図８における後面２２ｄ側部分）に設けられた回転軸２７を介してハウジング２２長手方向と平行な軸線（回転軸線）を中心に回転自在に軸支されている。
押さえ部材２３は、その全体が、軸支用突片２３ｂのハウジング２２に対する回転軸線を中心にハウジング２２に対して回転する。
【００５１】
図５、図６に示す押さえ部材２３の天板２３ａは矩形板状に形成されている。
天板２３ａの一端部は天板２３ａの外周の一辺に沿う部分である。一対の軸支用突片２３ｂは、天板２３ａの一端部の延在方向両端から天板２３片面側に延出されている。
押さえ部材２３は、天板２３ａの一端部がハウジング２２長手方向に沿って延在する向きでハウジング２２に回転自在に軸支されている。
【００５２】
押さえ部材２３の天板２３ａは、押さえ部材２３のハウジング２２に対する回転によって、ハウジング２２の基板支持面２２ｂのコンタクト配置領域２２Ｃに位置する部分（配置領域上支持面２２ｉ）に対して開閉する。
押さえ部材２３の天板２３ａのコンタクト配置領域２２Ｃに対して閉じたときにコンタクト配置領域２２Ｃに対面する側の面２３ｄを、以下、押さえ面とも言う。
軸支用突片２３ｂ及び係合板片２３ｃは、天板２３ａから天板２３ａの押さえ面２３ｄ側に突出されている。
【００５３】
図５、図６に示す押さえ部材２３の係合板片２３ｃは、天板２３ａの他端部に沿って天板２３ａに垂直に延在形成された板片である。係合板片２３ｃの延在方向は天板２３ａ一端部の延在方向と平行である。また、係合板片２３ｃは、ハウジング２２長手方向に沿って延在している。
【００５４】
図５、図６に示す押さえ部材２３の係合板片２３ｃは、その延在方向両端部のみが、天板２３ａ他端部の延在方向両端部と繋がっている。図５、図６に示す押さえ部材２３の、係合板片２３ｃの延在方向両端部と天板２３ａ他端部の延在方向両端部とが繋がっている連続部２３ｅ間には、天板２３ａ一端部の延在方向と平行に延在形成された長孔状の係合用窓孔２３ｆが形成されている。
【００５５】
図６、図８に示すように、ハウジング２２のコンタクト収容溝２６間に位置する溝仕切り壁２２ｋのハウジング前面２２ｃ側には、ハウジング２２のコンタクト配置領域２２Ｃに対して閉じた押さえ部材２３の係合板片２３ｃが挿入される係止用溝２２ｍが形成されている。図５に示す中継部コネクタ２０において、ハウジング２２の複数の溝仕切り壁２２ｋのハウジング前面２２ｃ側の係止用溝２２ｍは、溝仕切り壁２２ｋ間のコンタクト収容溝２６を介してハウジング２２長手方向に互いに連続するように形成されている。
【００５６】
押さえ部材２３の係合板片２３ｃ（ハウジング２２に係合する係合部）は、ハウジング２２の溝仕切り壁２２ｋの係止用溝２２ｍ上側の係止突部２２ｎを係合用窓孔２３ｆに収容することで係止用溝２２ｍに挿入できる。押さえ部材２３の係合用窓孔２３ｆに収容されたハウジング２２の係止突部２２ｎは、押さえ部材２３の係合板片２３ｃとの係合により、係合板片２３ｃのハウジング２２に対する上方への変位を規制し、押さえ部材２３の開方向の回転を防ぐ。押さえ部材２３は、ハウジング２２の溝仕切り壁２２ｋの係止突部２２ｎ（押さえ部材２３を係止する係止部）を係合用窓孔２３ｆに収容し、係合板片２３ｃを係止用溝２２ｍに挿入することで、コンタクト配置領域２２Ｃに対して閉じた状態を維持できる。
押さえ部材２３の係合板片２３ｃは、ハウジング２２に係合する係合部の役割を果たす。
【００５７】
押さえ部材２３をコンタクト配置領域２２Ｃに対して閉じた状態（閉状態）は、押さえ部材２３の天板２３ａがコンタクト配置領域２２Ｃに対して閉じられ、天板２３ａの押さえ面２３ｄが配置領域上支持面２２ｉに沿って延在する状態を指す。図６に示すように、閉状態の押さえ部材２３の天板２３ａによって配置領域上支持面２２ｉのほぼ全体を覆う。
【００５８】
押さえ部材２３をコンタクト配置領域２２Ｃに対して開いた状態（開状態）は、天板２３ａの押さえ面２３ｄに配置領域上支持面２２ｉに対して４５度以上の開き角が確保され、かつ、押さえ部材２３の係合板片２３ｃがハウジング２２から上方へ離間され、撮像モジュール１０の後側基板１４をハウジング２２上の長手方向位置決め手段２４及び幅方向位置決め手段２５によって位置決めする作業をハウジング前面２２ｃ側から行える状態を指す。
なお、図５〜図８の中継部コネクタ２０の押さえ部材２３は、天板２３ａの押さえ面２３ｄに配置領域上支持面２２ｉに対して９０度以上の開き角を確保できる。
【００５９】
ハウジング２２の基板支持面２２ｂには、中継部コネクタ２０の押さえ部材２３をコンタクト配置領域２２Ｃに対して開いた状態にて撮像モジュール１０の後側基板１４を配置（載置等）できる。
中継部コネクタ２０は、コンタクト配置領域２２Ｃに対して開状態の押さえ部材２３を閉じることで、ハウジング２２の基板支持面２２ｂに配置された撮像モジュール１０の後側基板１４を押さえ部材２３の天板２３ａとハウジング２２との間に挟持できる。押さえ部材２３は、係合板片２３ｃをハウジング２２の溝仕切り壁２２ｋの係止用溝２２ｍに挿入し、溝仕切り壁２２ｋの係止突部２２ｎに係合板片２３ｃを係合させることで、撮像モジュール１０の後側基板１４を天板２３ａとハウジング２２との間に挟持した状態を維持できる。
【００６０】
押さえ部材２３について、係合板片２３ｃがハウジング２２の溝仕切り壁２２ｋの係止用溝２２ｍに挿入されハウジング２２の係止突部２２ｎに係止されている状態を、以下、閉維持係止状態、とも言う。
閉維持係止状態の押さえ部材２３の天板２３ａは、押さえ面２３ｄによって撮像モジュール１０の後側基板１４を配置領域上支持面２２ｉに向かって押圧して配置領域上支持面２２ｉに押し付ける押さえ部の役割を果たす。
【００６１】
図５に示すハウジング２２の係止用溝２２ｍは、ハウジング２２の溝仕切り壁２２ｋのみに形成され、ハウジング２２の第１台部２２Ａ及び第２台部２２Ｂには形成されていない。
押さえ部材２３をコンタクト配置領域２２Ｃに対して閉じたとき、押さえ部材２３の係合板片２３ｃの延在方向両端部は、ハウジング２２のコンタクト配置領域２２Ｃのハウジング２２長手方向両端に位置するコンタクト収容溝２６のハウジング前面側２２ｃに配置される。
但し、押さえ部材２３の係合板片２３ｃは、押さえ部材２３をコンタクト配置領域２２Ｃに対して閉じたときハウジング２２のうち溝仕切り壁２２ｋのみに当接し、ハウジング２２の第１台部２２Ａ及び第２台部２２Ｂには当接しない寸法に形成されている。
押さえ部材２３の係合板片２３ｃのハウジング２２の溝仕切り壁２２ｋの係止用溝２２ｍへの挿入は、第１台部２２Ａ及び第２台部２２Ｂと干渉することなく円滑に行える。
【００６２】
なお、ハウジング２２は、係止用溝２２ｍを、溝仕切り壁２２ｋのみならず、第１台部２２Ａ及び第２台部２２Ｂの一方または両方のハウジング前面２２ｃ側にも形成した構成も採用可能である。
係止用溝２２ｍを、溝仕切り壁２２ｋのみならず、第１台部２２Ａ及び第２台部２２Ｂの一方または両方のハウジング前面２２ｃ側にも形成した構成の場合、押さえ部材２３の係合板片２３ｃは、ハウジング２２長手方向に沿う延在方向の端部が第１台部２２Ａ及び第２台部２２Ｂの一方または両方の係止用溝２２ｍに挿入可能な構成を採用できる。
【００６３】
押さえ部材２３は、係合板片２３ｃの天板２３ａとは逆側の端部から、係合板片２３ｃの板厚方向において天板２３ａとは逆側に突出する操作片２３ｇを含む。
操作片２３ｇは、押さえ部材２３の係合板片２３ｃをハウジング２２の溝仕切り壁２２ｋの係止用溝２２ｍに挿入した状態においても、係止用溝２２ｍからハウジング前面２２ｃ側に突出する部分を確保できる。
押さえ部材２３は、作業者が手指等で操作片２３ｇを利用してハウジング２２に対して回転操作することで、ハウジング２２に対して開状態から閉状態とし閉維持係止状態とする作業を簡単に行える。
【００６４】
閉維持係止状態の押さえ部材２３は、係合板片２３ｃと中継用基板３１との間の隙間に差し入れた工具によって係合板片２３ｃを引き起こすことで、係合片部２３ｃのハウジング２２の係止突部２２ｎに対する係合を解除できる。
係合片部２３ｃのハウジング２２の係止突部２２ｎに対する係合が解除された押さえ部材２３は、ハウジング２２に対する回転操作により開状態とすることができる。
【００６５】
図５に示すように、コネクタベース部材２０Ａの長手方向位置決め手段２４及び幅方向位置決め手段２５は、ハウジング２２の基板支持面２２ｂ上に突出状態に設けられている。
【００６６】
図５に示すコネクタベース部材２０Ａの長手方向位置決め手段２４は、ハウジング２２の第１台部２２Ａに設けられている。図５の長手方向位置決め手段２４は、具体的には、第１台部２２Ａに固定され、第１台部２２Ａ上面上に突出された位置決めピンである。
以下、長手方向位置決め手段２４が位置決めピンを指す場合、長手方向位置決め手段２４を位置決めピンとも言う。また、位置決めピンに符号２４を付記する。
【００６７】
図５に示すコネクタベース部材２０Ａの幅方向位置決め手段２５は、具体的には、ハウジング２２の第１台部２２Ａ及び第２台部２２Ｂのそれぞれの上面上に突出されたリブ状突壁（突出部）である。
以下、幅方向位置決め手段２５がリブ状突壁を指す場合、幅方向位置決め手段２５をリブ状突壁とも言う。また、リブ状突壁に符号２５を付記する。
【００６８】
図５に示すように、第１台部２２Ａ及び第２台部２２Ｂのそれぞれの上面上には、それぞれ、ハウジング２２長手方向に延在する一対のリブ状突壁２５が形成されている。
ハウジング２２の基板支持面２２ｂ上に設けられる撮像モジュール１０の後側基板１４は、一対のリブ状突壁２５間に確保された基板収容溝２５ａに挿入される。第１台部２２Ａ上の一対のリブ状突壁２５間の基板収容溝２５ａは、第２台部２２Ｂ上の一対のリブ状突壁２５間の基板収容溝２５ａの延長上に位置する。
基板収容溝２５ａ両側のリブ状突壁２５は、ハウジング２２の基板支持面２２ｂのハウジング２２長手方向に垂直の幅方向に互いに離間されている。
【００６９】
図５において、基板収容溝２５ａの溝幅、すなわち基板収容溝２５ａの両側のリブ状突壁２５間の離間距離は、撮像モジュール１０の細長板状の後側基板１４の幅方向（長手方向に垂直な断面の長手方向）寸法に概ね一致している。
撮像モジュール１０の後側基板１４は、第１台部２２Ａ及び第２台部２２Ｂのそれぞれのリブ状突壁２５間の基板収容溝２５ａに挿入することで、各基板収容溝２５ａの両側のリブ状突壁２５によって、ハウジング２２長手方向に延在する向きで支持されるとともに、ハウジング２２の基板支持面２２ｂの幅方向に位置決めされる。
【００７０】
図５に示すように、コネクタベース部材２０Ａの位置決めピン２４は、撮像モジュール１０の後側基板１４の長手方向片側の端部（後端部）に形成された貫通孔である治具掛け孔１４ｅ（第１治具掛け孔）に挿入されることで、第１台部２２Ａ及び第２台部２２Ｂのそれぞれのリブ状突壁２５間の基板収容溝２５ａに挿入された後側基板１４をハウジング２２長手方向（基板支持面２２ｂ長手方向）に位置決めする。
【００７１】
後側基板１４の第１治具掛け孔１４ｅは、撮像モジュール１０をチューブ１５に挿通してチューブ付きモジュール１６を組み立てる際に、ワイヤ等の挿通用治具を通して後端基板１４に取り付けることに利用される。
チューブ付きモジュール１６を組み立てる際に撮像モジュール１０は、後側基板１４からチューブ１５に挿通される。
【００７２】
図５、図１０に示すように、後側基板１４の撮像モジュール１０長手方向における前端部の撮像素子１１とは逆の後端部（図１０においては右側端部）には、２つの治具掛け孔１４ｅ、１４ｆ（第１治具掛け孔、第２治具掛け孔）が後側基板１４長手方向に間隔を空けて形成されている。各治具掛け孔１４ｅ、１４ｆは後側基板１４の板厚を貫通して、後側基板１４の両側の主面（第１主面１４ａ及び第２主面１４ｂ）に開口する貫通孔である。
なお、この実施形態では、ハウジング２２に対する後側基板１４のハウジング２２長手方向の位置決めに、第２治具掛け孔１４ｆよりも後側に位置する第１治具掛け孔１４ｅ（ピン係止穴）のみを使用する。
【００７３】
図１０に示すように、撮像モジュール１０の後側基板１４の片側の主面（第１主面１４ａ）には、コネクタベース部材２０Ａのコンタクト２１の接触部２１ａと接触される電極１４ｃが複数形成されている。電極１４ｃは、第１主面１４ａにおける後側基板１４長手方向の複数箇所に形成されている。
図１０に示す後側基板１４には、コネクタベース部材２０Ａのコンタクト２１と同数の電極１４ｃが形成（図１０では電極１４ｃは５つ形成）されている。
【００７４】
図２、図１０に示す撮像モジュール１０の電気ケーブル１３は、複数本の導体を外装被覆１３ａ内側に収容した構成のものである。但し、電気ケーブル１３は、例えば、複数本の電線を保護チューブに収容したものや、同軸ケーブル（導体を複数有する）、単心電線（導体を１本のみ有する）等も採用可能である。
なお、図２、図１０に示す撮像モジュール１０の電気ケーブル１３は、複数本の導体の１本以上を信号線として使用する信号ケーブルである。
【００７５】
図１０に示すように、電気ケーブル１３の導体は、撮像モジュール１０の後側基板１４の第１主面１４ａに形成された導体接続端子１４ｄに半田付け等によって電気接続されている。導体接続端子１４ｄは、撮像モジュール１０の後側基板１４の長手方向一端部（前端部）の複数箇所（図１０では５箇所）に形成されている。
電気ケーブル１３の導体は、撮像モジュール１０の後側基板１４の第１主面１４ａに形成された導体接続端子１４ｄのそれぞれに１本ずつ電気接続されている。
【００７６】
図１０に示す電気ケーブル１３は、２本の同軸ケーブル１３ｂと、これら同軸ケーブル１３ｂとともに外装被覆１３ａ内側に収容された導体である１本の副導体（図示略）とを有する。
図１１に示すように同軸ケーブル１３ｂは中心導体１３ｃと外部導体１３ｄとを有する。
図１０に示す電気ケーブル１３は、２本の同軸ケーブル１３ｂのそれぞれの中心導体１３ｃと外部導体１３ｄ、及び１本の副導体、の計５本の導体を有する。
【００７７】
図１０、図１１に示すように、撮像モジュール１０の後側基板１４の第１主面１４ａに形成された５つの導体接続端子１４ｄは、同軸ケーブル１３ｂの中心導体１３ｃが電気接続される２つの中心導体接続端子１４ｄ１、同軸ケーブル１３ｂの外部導体１３ｄが電気接続される２つの外部導体接続端子１４ｄ２、副導体が電気接続される１つの副導体接続端子１４ｄ３である。
【００７８】
後側基板１４において、導体接続端子１４ｄは電極１４ｃと同数形成されている。複数の導体接続端子１４ｄには、それぞれ、後側基板１４に形成された図示略の配線を介して、後側基板１４の電極１４ｃが一つずつ電気接続されている。
導体接続端子１４ｄに電気接続された電気ケーブル１３の導体は、導体接続端子１４ｄ及び後側基板１４の配線を介して、後側基板１４の電極１４ｃと電気接続されている。
【００７９】
図１０に示す後側基板１４の複数の電極１４ｃは、後側基板１４長手方向に一列に配列させて形成されている。後側基板１４の複数の電極１４ｃの、後側基板１４長手方向における配置間隔は、コネクタベース部材２０Ａの複数のコンタクト２１（具体的にはその接触部２１ａ）のハウジング２２長手方向における配置間隔（配列ピッチ）に対応している。
【００８０】
なお、図５において、コネクタベース部材２０Ａのコンタクト配置領域２２Ｃにおけるコンタクト収容溝２６のハウジング２２長手方向の配列ピッチ及びコンタクト２１のハウジング２２長手方向の配列ピッチはそれぞれ一定である。但し、コンタクト収容溝２６の配列ピッチ及びコンタクト２１の配列ピッチはそれぞれ一定でなくてもよい。
【００８１】
図７、図８に示すように、撮像モジュール１０の後側基板１４は、第１主面１４ａがハウジング２２の基板支持面２２ｂ（上面）に対面する向きで基板支持面２２ｂ上に配置される。
撮像モジュール１０の後側基板１４の各電極１４ｃは、後側基板１４をハウジング２２上の位置決めピン２４及びリブ状突壁２５によってハウジング２２に対して位置決めすることで、コネクタベース部材２０Ａのコンタクト２１の接触部２１ａに当接可能な位置に位置合わせされる。
【００８２】
中継部コネクタ２０は、位置決めピン２４及びリブ状突壁２５によってハウジング２２に対して位置決めした後側基板１４を、閉維持係止状態とした押さえ部材２３の天板２３ａによってハウジング２２の基板支持面２２ｂに押さえ込む（押し付ける）だけで、後側基板１４の複数の電極１４ｃとコンタクト２１の接触部２１ａの接触を安定に保つことができる。
その結果、中継部コネクタ２０は、図１に示す電子内視鏡システム５０において、接続ケーブル５２を含む表示装置側回路と、撮像モジュール１０の電気回路とを、中継用基板３１の配線３１ｂ及びコンタクト２１を介して電気接続した状態を容易に安定確保できる。
【００８３】
図７に示すように、ハウジング２２の基板支持面２２ｂ上に撮像モジュール１０の後側基板１４等の載置物が存在しないとき、コンタクト２１の接触部２１ａの上端は基板支持面２２ｂよりも若干上方に位置する。
また、コンタクト２１の接触部２１ａの上端は、ハウジング２２上の一対のリブ状突壁２５（幅方向位置決め手段）間の基板収容溝２５ａの延長上に位置する。
【００８４】
図８に示すように、撮像モジュール１０の後側基板１４を位置決めピン２４及びリブ状突壁２５によってハウジング２２に対して位置決めし、押さえ部材２３を閉維持係止状態とすると、コンタクト２１の接触部２１ａは後側基板１４によってコンタクト収容溝２６へ押し込まれる。このとき、コンタクト２１の接触部２１ａは、コンタクト２１の弾性変形によってハウジング２２のコンタクト収容溝２６へ押し込まれ、コンタクト２１の弾性復元力によって後側基板１４の電極１４ｃとの接触を安定維持する。
このため、中継部コネクタ２０は、表示装置側回路と、撮像モジュール１０の電気回路とを、中継用基板３１の配線３１ｂ及びコンタクト２１を介して電気接続した状態を安定維持できる。
【００８５】
中継部コネクタ２０は、撮像モジュール１０の後側基板１４を、閉維持係止状態とした押さえ部材２３によってハウジング２２に押さえ込むことで挟持固定できる。
中継ユニット３０は、撮像モジュール１０の後側基板１４を、中継部コネクタ２０によって挟持固定することで撮像モジュール１０に取り付けることができる。
電子部品ユニットＵ１は、中継部コネクタ２０の位置決めピン２４及びリブ状突壁２５によってハウジング２２に対して位置決めした撮像モジュール１０の後側基板１４を、閉維持係止状態とした押さえ部材２３によってハウジング２２に押さえ込んで挟持固定することで組み立て状態となる。
【００８６】
図５に示すように、ハウジング２２の第２台部２２Ｂのコンタクト配置領域２２Ｃとは逆側の端部には、第２台部２２Ｂの上面からハウジング２２の第２端面２２ｆにわたって、チューブ付きモジュール１６のチューブ１６を収容可能なチューブ収容溝２２ｏが形成されている。
ハウジング２２の第２端面２２ｆは、第２台部２２Ｂのコンタクト配置領域２２Ｃとは逆側の側面である。
チューブ収容溝２２ｏは、ハウジング２２の第２端面２２ｆ側に行くにしたがって第２台部２２Ｂ上面からの深さが深くなるように形成されている。
【００８７】
図５に示すように、チューブ収容溝２２ｏは、第２台部２２Ｂ上面における基板収容溝２５ａの延長上に対応する領域に第２台部２２Ｂ上面から窪んで形成されている。
位置決めピン２４及びリブ状突壁２５によってハウジング２２に位置決めされた後側基板１４の前端（前端部側の端）はチューブ収容溝２２ｏ上に配置される。後側基板１４の副導体接続端子１４ｄ３（図１０参照）はチューブ収容溝２２ｏ上に配置される。
【００８８】
チューブ付きモジュール１６のその長手方向におけるチューブ１５が存在する部分を、以下、チューブ外装部、とも言う。
チューブ収容溝２２ｏには、チューブ外装部の撮像素子１１を収容した前端部とは逆の後端部と、電気ケーブル１３のチューブ外装部のチューブ１５後端から延出された後端部とが収容される。
【００８９】
チューブ付きモジュール１６の後側基板１４は、ハウジング２２の基板支持面２２ｂ上に第１主面１４ａが下面となる向きで載置される。ため、チューブ付きモジュール１６のチューブ外装部の、その下方にハウジング２２の基板支持面２２ｂが存在しない部分は後側基板１４から下方へ垂れ下がる。
仮に、ハウジング２２の第２端面２２ｆがハウジング２２の基板支持面２２ｂに対して垂直の場合は、チューブ付きモジュール１６のハウジング２２によって支持される部分と、チューブ付きモジュール１６下方にハウジング２２が存在せずハウジング２２に支持されない部分との境界付近が局所的に屈曲されチューブ１５を傷めやすい。
【００９０】
チューブ付きモジュール１６をチューブ収容溝２２ｏに収容する構成であれば、チューブ付きモジュール１６にチューブ１５を傷めるような屈曲箇所が形成されることを回避できる。その結果、チューブ付きモジュール１６をチューブ収容溝２２ｏに収容する構成であれば、ハウジング２２の第２端面２２ｆがハウジング２２の基板支持面２２ｂに対して垂直の場合に比べて、チューブ１５の寿命延長が可能である。
【００９１】
図１２に示すように、撮像モジュール１０の撮像素子１１は、断面矩形で延在する角形（ブロック状）に形成された固体撮像素子である。
図１３に示すように、撮像モジュール１０の後側基板１４は、断面長方形で延在する細長板状に形成されている。
【００９２】
ここで、図１２に示す撮像素子１１前端の受光面１１ａにおける対角線（第１対角線Ｔ１）の長さをＤ１とし、図１３に示す後側基板１４の断面における対角線（第２対角線Ｔ２）の長さをＤ２とする。
図１３の後側基板１４の断面における対角線（第２対角線Ｔ２）の長さＤ２は、図１２に示す撮像素子１１前端の受光面１１ａにおける対角線（第１対角線Ｔ１）の長さＤ１以下に設定されている（条件Ｄ１≧Ｄ２）。
【００９３】
後側基板１４は、その長手方向全長にわたって、その断面における対角線（第２対角線Ｔ２）の長さＤ２が図１２に示す撮像素子１１前端の受光面１１ａにおける対角線（第１対角線Ｔ１）の長さＤ１以下の断面寸法で延在形成されている。
また、図１３に示すように、電気ケーブル１３の２本の同軸ケーブル１３ｂの後側基板１４に沿わせて配置された部分は、第２対角線Ｔ２を直径とする第２基板本体２１の外接円Ｃの内側に配置できる。
【００９４】
撮像モジュール１０のヘッド側基板１２及び電気ケーブル１３も、その全体にわたって、撮像モジュール１０長手方向に垂直の断面全体が第１対角線Ｔ１の長さＤ１以下の直径の円周内に入るように形成されている。
撮像モジュール１０は、その長手方向全長にわたって、撮像モジュール１０長手方向に垂直の断面全体が第１対角線Ｔ１の長さＤ１以下の直径の円周内に入るように形成されている。
このため、チューブ付きモジュール１６を組み立てに使用するチューブ１５は、撮像素子１１を収容可能な内径を有するものであれば良く、撮像素子１１を収容可能な範囲で細径化を図ることができる。
【００９５】
図１に示すように、電子部品ユニットＵ１は、チューブ付きモジュール１６の組み立て後に、撮像モジュール１０の後側基板１４を中継部コネクタ２０によって挟持固定して組み立てることが可能である。
電子部品ユニットＵ１は、チューブ付きモジュール１６の組み立て後に、撮像モジュール１０の後側基板１４を中継部コネクタ２０によって挟持固定するだけで組み立て状態とすることができ、表示装置側回路と撮像モジュール１０の電気回路との電気接続を簡単に実現することができる。
【００９６】
（第２実施形態）
図１４は、第２実施形態の電子部品ユニットＵ２を示す。
図１４に示すように、この実施形態の電子部品ユニットＵ２は、第１実施形態の電子部品ユニットＵ１について中継ユニットを変更したものである。
撮像モジュール１０（電子モジュール）、チューブ付きモジュール１６については変更無い。
なお、図１４中、第１実施形態の電子部品ユニットＵ１と同様の構成部分には共通の符号を付し、その説明を簡略化する。
【００９７】
図１４に示すように、この実施形態の電子部品ユニットＵ２の中継ユニット３０Ａは、第１実施形態の電子部品ユニットＵ１の中継ユニット３０について外部接続コネクタ３２を省略し、電線３５が電気接続された外部接続端子３４を採用している。
電線３５の外部接続端子３４とは逆側の端部（以下、基端部、とも言う）は、中継用基板３１の配線３１ｂに半田付け等によって電気接続されている。
【００９８】
中継用基板３１の主面３１ａ側には、電線３５の基端部を中継用基板３１の配線３１ｂに電気接続した接続箇所を覆う筒状の接続部カバー３６が取り付けられている。中継用基板３１の配線３１ｂに電気接続された電線３５の外部接続端子３４が取り付けられている先端側は、接続部カバー３６上の開口部から接続部カバー３６の外へ延出されている。
【００９９】
図１５（ａ）、（ｂ）に示すように、中継ユニット３０Ａは、外部接続端子３４を収容して中継用基板３１及び中継部コネクタ２０の周囲に組み立てられるコネクタハウジング３７も有している。
図１４、図１５（ａ）、（ｂ）に例示した外部接続端子３４は具体的には金属ピンである。図１５（ａ）、（ｂ）に示すように、コネクタハウジング３７は、金属ピンである外部接続端子３４を複数（図示例では４本）収容する。また、コネクタハウジング３７は、各外部接続端子３４が貫通固定された端子支持板３８も収容する。
【０１００】
図１５（ａ）、（ｂ）に示すように、この実施形態の電子部品ユニットＵ２は、複数の外部接続端子３４と、端子支持板３８と、中継用基板３１と、中継部コネクタ２０とをコネクタハウジング３７内に収容した構成の外部接続コネクタ３９を有する。
【０１０１】
コネクタハウジング３７は、円筒状のハウジング本体３７ａと、チューブ付きモジュール１６のチューブ外装部が通されたテーパ筒状のブーツ３７ｂと、ハウジング本体３７ａの前端部に螺着された押さえリング３７ｃとを有する。
ブーツ３７ｂは、ハウジング本体３７ａの前端部とは逆の後端部に嵌合等によって取り付けられる。ブーツ３７ｂは、ハウジング本体３７ａの後端部に固定される前端部から後端部側へ行くにしたがって径小となる外観テーパ状に形成されている。
【０１０２】
コネクタハウジング３７は、チューブ付きモジュール１６の組み立て、及び撮像モジュール１０の後側基板１４の中継部コネクタ２０による挟持固定の完了後の組み立て作業によって組み立てることが可能である。
ここでコネクタハウジング３７の組立方法を説明する。
【０１０３】
ブーツ３７ｂには、チューブ付きモジュール１６の組み立て後、撮像モジュール１０の後側基板１４の中継部コネクタ２０による挟持固定前に、チューブ付きモジュール１６のチューブ外装部を通しておく。
撮像モジュール１０の後側基板１４の中継部コネクタ２０による挟持固定が完了したら、ハウジング本体３７ａにその後端から中継用基板３１及び中継部コネクタ２０を挿入し、外部接続端子３４を貫通固定した端子支持板３８をハウジング本体３７ａにその前端から挿入する。
【０１０４】
次いで、ハウジング本体３７ａの前端部に押さえリング３７ｃを螺着する。押さえリング３７ｃはハウジング本体３７ａ前端部の外周に螺着される。
押さえリング３７ｃは、ハウジング本体３７ａ前端部に対する回転操作によってハウジング本体３７ａに対してその後端部へ向かって移動させることで、ハウジング本体３７ａ内の端子支持板３８をハウジング本体３７ａ内の突壁に押さえ込んで固定する。
また、ブーツ３７ｂ前端部をハウジング本体３７ａ後端部に取り付ける。
これら作業を完了することで、コネクタハウジング３７、及び外部接続コネクタ３９が組み立てられる。
【０１０５】
外部接続コネクタ３９を有する電子部品ユニットＵ２は、外部接続コネクタ３９をレセプタクルに挿入、嵌合するだけで、撮像モジュール１０の電気回路をレセプタクル側コンタクトに電気接続された外部回路に簡単に電気接続することができる。
【０１０６】
外部接続端子３４は、例えば、電線３５先端に圧着して取り付けられる圧着端子等も採用可能である。
コネクタハウジング３７は、外部接続端子３４の構成等に応じて適宜設計変更可能である。
【０１０７】
（中継部コネクタの変形例）
図１６〜図１９は、変形例の中継部コネクタ２２０を示す。
なお、変形例の中継部コネクタ２２０について、図５〜図９等に例示した実施形態の中継部コネクタ２０（以下、第１例の中継部コネクタ、とも言う）と同様の構成部分については図１６〜図１９中において共通の符号を付し、その説明を簡略化または省略する。
また、変形例の中継部コネクタ２２０について、図１６〜図１９において上側を上、下側を下、として説明する。
【０１０８】
図１６に示すように、変形例の中継部コネクタ２２０は、角棒状のハウジング２２２に長手方向位置決め手段２４及び幅方向位置決め手段２５が設けられた構成のコネクタベース部材２２０Ａを有する。また、変形例の中継部コネクタ２２０は、ハウジング２２２の長手方向中央部のコンタクト配置領域２２Ｃに保持された複数のコンタクト２２１（中継導体）、及びハウジング２２２に回転自在に軸支された押さえ部材２２３も有する。
変形例の中継部コネクタ２２０は、コネクタベース部材２２０Ａにコンタクト２２１が設けられた構成のベースユニット２２０Ｕを有する。
【０１０９】
図５〜図８に示すように、第１例の中継部コネクタ２０のハウジング２２は、その前面２２ｃと後面２２ｄとの間隔方向である前後方向の寸法が、底面２２ａと基板支持面２２ｂとの間隔方向の寸法（高さ方向寸法）よりも格段に大きい扁平断面で延在する細長板状に形成されている。
これに対して、図１６、図１８に示すように、変形例の中継部コネクタ２２０のハウジング２２２は、その前面２２ｃと後面２２ｄ（図１８参照）との間隔方向である前後方向の寸法が高さ方向寸法と概ね同じの角棒状に形成されている。
【０１１０】
図１６に示すように、変形例の中継部コネクタ２２０のハウジング２２２は、その長手方向において、中央部のコンタクト配置領域２２Ｃと、コンタクト配置領域２２Ｃを介して両側の台部（第１台部２２Ａ、第２台部２２Ｂ）とを有する。
このハウジング２２２のコンタクト配置領域２２Ｃを介して両側の台部のうち、片方の第１台部２２Ａには、長手方向位置決め手段２４（図１６等では位置決めピン）が設けられている。長手方向位置決め手段２４は、ハウジング２２２の、コンタクト配置領域２２Ｃを介して第１台部２２Ａとは逆側の第２台部２２Ｂには設けられていない。
【０１１１】
なお、変形例の中継部コネクタ２２０のハウジング２２２の第２台部２２Ｂのハウジング２２２長手方向の寸法は、第１台部２２Ａのハウジング２２２長手方向の寸法に比べて格段に大きい。
第１台部２２Ａ及び第２台部２２Ｂについて、ハウジング２２２長手方向に沿う方向を、以下、長手方向、とも言う。
【０１１２】
ハウジング２２２の第２台部２２Ｂには、ハウジング２２２長手方向に延在する基板逃げ溝２２ｐが形成されている。
基板逃げ溝２２ｐは、第２台部２２Ｂのハウジング２２２長手方向全長にわたって延在形成されている。基板逃げ溝２２ｐは、第２台部２２Ｂにおいてハウジング２２の基板支持面２２ｂから窪んで形成されている。
基板逃げ溝２２ｐはハウジング２２２の第２台部２２Ｂのみに形成されている。基板逃げ溝２２ｐはハウジング２２２の第１台部２２Ａ及びコンタクト配置領域２２Ｃには形成されていない。
【０１１３】
図５に示すように、第１例の中継部コネクタ２０のコネクタベース部材２０Ａは、そのハウジング２２のその長手方向においてコンタクト配置領域２２Ｃを介して両側に、基板収容溝２５ａを形成するリブ状突壁２５の対をひとつずつ有する。
これに対して、図１６に示すように、変形例の中継部コネクタ２２０のコネクタベース部材２２０Ａは、基板収容溝２５ａを形成するリブ状突壁２５（幅方向位置決め手段）の対が、ハウジング２２２の第１台部２２Ａに１つ、第２台部２２Ｂに２つ設けられた構成となっている。
【０１１４】
図１６に例示したコネクタベース部材２２０Ａにおいて、ハウジング２２２の基板支持面２２ｂの、ハウジング２２２長手方向に一致する長手方向に垂直の幅方向は、ハウジング２２２前後方向に一致している。
基板収容溝２５ａを形成する対を構成するリブ状突壁２５は基板支持面２２ｂ幅方向に互いに離隔させて設けられている。
【０１１５】
第２台部２２Ｂのリブ状突壁２５の対は、第２台部２２Ｂのその長手方向に互いに離間した２箇所に設けられている。図１６等に例示したコネクタベース部材２２０Ａにおいて、第２台部２２Ｂのリブ状突壁２５の対は、第２台部２２Ｂのその長手方向両端部に設けられている。
【０１１６】
また、第２台部２２Ｂのリブ状突壁２５の対は、第２台部２２Ｂの基板逃げ溝２２ｐを介して両側の基板支持面２２ｂから突出させて形成されている。
基板逃げ溝２２ｐを介して両側のリブ状突壁２５は、リブ状突壁２５間の基板収容溝２５ａ全体が基板逃げ溝２２ｐ上に位置するように形成されている。
【０１１７】
図１６に例示したコネクタベース部材２２０Ａにおいて、ハウジング２２２の第２台部２２Ｂの基板逃げ溝２２ｐの溝幅方向両側の内側面は、ハウジング２２２前後方向に垂直に形成されている。基板逃げ溝２２ｐを介して両側のリブ状突壁２５の基板収容溝２５ａを介して互いに対向する面（対向面）は、それぞれ基板逃げ溝２２ｐの溝幅方向両側の内側面から連続してハウジング２２２前後方向に垂直に延在形成されている。
【０１１８】
図１６、図１７において、撮像モジュール１０の後側基板１４は、第１主面１４ａがハウジング２２２の基板支持面２２ｂ（上面）に対面する向きでハウジング２２２の基板支持面２２ｂ上に配置される。撮像モジュール１０の後側基板１４は、押さえ部材２２３（押圧手段）を開状態とした中継部コネクタ２２０のハウジング２２２の基板支持面２２ｂ上に配置する。
後側基板１４は、ハウジング２２２上の位置決めピン２４及びリブ状突壁２５によってハウジング２２２に対して基板支持面２２ｂの幅方向及び長手方向に位置決めして基板支持面２２ｂ上に配置される。
【０１１９】
後側基板１４は、ハウジング２２２の長手方向３箇所のリブ状突壁２５の対のそれぞれによって確保された基板収容溝２５ａに挿入することで。ハウジング２２２に対して基板支持面２２ｂ幅方向（ハウジング２２２前後方向）に位置決めされる。
また、後側基板１４は、第１治具掛け孔１４ｅにハウジング２２２上の位置決めピン２４を挿入させることでハウジング２２２に対して基板支持面２２ｂ長手方向（ハウジング２２２長手方向）に位置決めされる。
【０１２０】
図１６に示すように、ハウジング２２２の長手方向３箇所にリブ状突壁２５の対を有する構成は、ハウジング２２２の長手方向２箇所または１箇所のみにリブ状突壁２５の対を有する構成に比べて、後側基板１４のハウジング２２２に対する基板支持面２２ｂ幅方向の位置決め精度の安定確保の点で有利である。
ハウジング２２２の第１台部２２Ａ、及び第２台部２２Ｂの長手方向複数箇所に、リブ状突壁２５の対を有する構成は、撮像モジュール１０の電気ケーブル１３の曲がりや揺れ等がコンタクト配置領域２２Ｃ上における後側基板１４のハウジング２２２に対する位置決め精度に影響を与えることの回避、コンタクト配置領域２２Ｃ上における後側基板１４の位置決め精度の安定確保の点で有利である。
【０１２１】
図１６に示すように、変形例の中継部コネクタ２２０のハウジング２２２の第１台部２２Ａ上には、第１例の中継部コネクタ２０のハウジング２２の第１台部２２Ａ上と同様に位置決めピン２４及び一対のリブ状突壁２５が設けられている。
また、変形例の中継部コネクタ２２０のハウジング２２２の第１台部２２Ａ上には、ハウジング２２２上の位置決めピン２４を後側基板１４の第２治具掛け孔１４ｆに挿入してしまう誤挿入を防ぐ誤挿入防止突壁２２ｑも設けられている。
変形例の中継部コネクタ２２０のコネクタベース部材２２０Ａは誤挿入防止突壁２２ｑを含む。
【０１２２】
図１６、図１９に示すように、誤挿入防止突壁２２ｑは、位置決めピン２４からハウジング２２２の第１端面２２ｅ側（コンタクト配置領域２２Ｃとは逆の側）へ離間させた位置に設けられている。
誤挿入防止突壁２２ｑと位置決めピン２４との間の離間距離は、後側基板１４のその後端から第１治具掛け孔１４ｅまでの寸法よりも大きく、かつ後側基板１４のその後端から第２治具掛け孔１４ｆまでの寸法よりも小さい、範囲に確保されている。
【０１２３】
図１９に示すように、後側基板１４は、第１治具掛け孔１４ｅにハウジング２２２上の位置決めピン２４を挿入させたときに、ハウジング２２２のリブ状突壁２５間の基板収容溝２５ａへの挿入、ハウジング２２２の基板支持面２２ｂ上への配置が可能である。第１治具掛け孔１４ｅにハウジング２２２上の位置決めピン２４を挿入させた後側基板１４は、ハウジング２２２の基板支持面２２ｂ上に配置できる。
第１治具掛け孔１４ｅにハウジング２２２上の位置決めピン２４を挿入させて基板支持面２２ｂ上に配置した後側基板１４は、中継部コネクタ２２０の押さえ部材２２３を開状態からハウジング２２２に対して閉じたときに、押さえ部材２２３によってハウジング２２２に押し付けて第１主面１４ａをハウジング２２２の基板支持面２２ｂに面接触させることができる。押さえ部材２２３は、ハウジング２２２の係止突部２２ｎに係合させてハウジング２２２のコンタクト配置領域２２Ｃに対する閉状態を維持できる。
【０１２４】
後側基板１４の第２治具掛け孔１４ｆにハウジング２２２上の位置決めピン２４を挿入させようとしたときには、後側基板１４の第１治具掛け孔１４ｅから後端側部分が誤挿入防止突壁２２ｑ上に当接し、誤挿入防止突壁２２ｑに乗り上げた状態となる。このため、後側基板１４の第２治具掛け孔１４ｆにハウジング２２２上の位置決めピン２４を挿入させることはできない。また、後側基板１４をその第１主面１４ａをハウジング２２２の基板支持面２２ｂに面接触させることもできない。
【０１２５】
また、誤挿入防止突壁２２ｑに後側基板１４の一部が乗り上げた状態では、ハウジング２２２に対して開状態から開方向とは逆の閉方向に回転させた押さえ部材２２３は、ハウジング２２２の係止突部２２ｎとの係合可能位置に到達前に後側基板１４に当接してしまい、係止突部２２ｎに係合させることができない。
このため、後側基板１４を中継部コネクタ２２０（具体的にはコンタクト２２１）に電気接続する作業を行なう作業者は、押さえ部材２２３をハウジング２２２の係止突部２２ｎに係合できないことで、後側基板１４の第１治具掛け孔１４ｅにハウジング２２２上の位置決めピン２４が挿入されていないことを簡単かつ明瞭に把握できる。
【０１２６】
変形例の中継部コネクタ２２０は、後側基板１４の第２治具掛け孔１４ｆにハウジング２２２上の位置決めピン２４を挿入させる誤挿入を防止できる。
また、この中継部コネクタ２２０は、後側基板１４の第１治具掛け孔１４ｅにハウジング２２２上の位置決めピン２４が挿入された状態の確実確保に有利である。
【０１２７】
図１６〜図１８に示すように、変形例の中継部コネクタ２２０のハウジング２２２のコンタクト配置領域２２Ｃには、ハウジング２２２長手方向複数箇所（３以上）の溝仕切り壁２２ｋによって仕切られた複数（４以上）のコンタクト収容溝２６が形成されている。
変形例の中継部コネクタ２２０のコンタクト配置領域２２Ｃの係止突部２２ｎは、コンタクト配置領域２２Ｃのハウジング２２２長手方向複数箇所に配列されている溝仕切り壁２２ｋのうち、その配列の両端の溝仕切り壁２２ｋの間に位置する溝仕切り壁２２ｋのハウジング前面２２ｃ側のみに形成されている。
【０１２８】
図１６において、係止突部２２ｎは、コンタクト配置領域２２Ｃの２つの溝仕切り壁２２ｋのハウジング前面２２ｃ側に形成されている。
なお、係止突部２２ｎが形成される溝仕切り壁２２ｋの数は、２つに限定されず、１または３以上であっても良い。
係止突部２２ｎが形成されない溝仕切り壁２２ｋは、ハウジング２２２長手方向において、係止突部２２ｎが形成された溝仕切り壁２２ｋの両側に位置する溝仕切り壁２２ｋを含む２以上であれば良く、３以上であっても良い。
【０１２９】
変形例の中継部コネクタ２２０の係止突部２２ｎは、ハウジング２２２長手方向両端の溝仕切り壁２２ｋよりもハウジング２２２前側（後面２２ｄとは逆側）に突出した状態に形成されている。
図１７に示すように、押さえ部材２２３は、係合用窓孔２３ｆにハウジング２２２の係止突部２２ｎを収容することで、係止突部２２ｎ下側に配置された係合板片２３ｃを係止突部２２ｎに係合させることができる。その結果、押さえ部材２２３は係止突部２２ｎによって開方向の回転が規制され、コンタクト配置領域２２Ｃに対する閉状態が維持される。係止突部２２ｎは押さえ部材２２３の開方向の回転を規制するべく押さえ部材２２３を係止する。
【０１３０】
変形例の中継部コネクタ２２０の押さえ部材２２３は、第１例の中継部コネクタ２０の押さえ部材２３に比べて、係合用窓孔２３ｆに挿入される係止突部２２ｎの数が少なくて済む。このため、変形例の中継部コネクタ２２０の押さえ部材２２３は、第１例の中継部コネクタ２０の押さえ部材２３に比べて、ハウジング２２長手方向に沿う方向（延在方向）において、係合用窓孔２３ｆのサイズを縮小し、連続部２３ｅのサイズを拡張した構成のものを採用している。変形例の中継部コネクタ２２０の押さえ部材２２３の、係合用窓孔２３ｆ及び連続部２３ｅのサイズ以外の構成は、第１例の中継部コネクタ２０の押さえ部材２３と同様である。
変形例の中継部コネクタ２２０の押さえ部材２２３は、ハウジング２２長手方向に沿う方向（延在方向）の連続部２３ｅのサイズを大きく確保できるため、第１例の中継部コネクタ２０の押さえ部材２３に比べて連続部２３ｅの耐久性を高めることができる。
【０１３１】
図１８に示すように、変形例の中継部コネクタ２２０は、第１例の中継部コネクタ２０のコンタクト２１を若干設計変更したコンタク２２１を採用している。
図１８に例示したコンタクト２２１は、第１例の中継部コネクタ２０について、可動板部２１ｅの先端屈曲部２１ｉの外角側に可動板部２１ｅ延在方向に沿って延在形成されたリブ状突部である接触部２１ａを省略して、可動板部２１ｅの先端屈曲部２１ｉ自体を接触部としたものである。
【０１３２】
また、図１８に例示したコンタクト２２１の延出片部２１ｈは、主板部２１ｄのその延在方向（長手方向）における中央屈曲部２１ｃとは逆側の端から可動板部２１ｅとは逆側へ主板部２１ｄに対して概ね垂直に延出するように形成されている。コンタクト２２１の接続部２１ｂは、延出片部２１ｈの主板部２１ｄとは逆側の端から延出片部２１ｈの板厚を介して主板部２１ｄとは逆側へ主板部２１ｄと平行に延出されている。
【０１３３】
図１６〜図１８に示すように、ハウジング２２２のコンタクト配置領域２２Ｃの前面側には、各溝仕切り壁２２ｋから下側をハウジング２２２の前面２２ｃから窪ませた延出片部配置凹部２２ｒが形成されている。
コンタクト２２１の延出片部２１ｈはハウジング２２２の延出片部配置凹部２２ｒ内に配置されている。
【０１３４】
図１６に示すように、係止突部２２ｎが形成されない溝仕切り壁２２ｋの前端（ハウジング２２２の後面２２ｄとは逆側の端）は、ハウジング２２２の前面２２ｃの一部を構成する。
開状態の押さえ部材２２３は、係合板片２３ｃが係止突部２２ｎが形成されない溝仕切り壁２２ｋの前端に当接する位置まで閉方向へ回転可能である。押さえ部材２２３は、係合板片２３ｃが係止突部２２ｎが形成されない溝仕切り壁２２ｋの前端に当接することで、それ以上の閉方向への回転が規制される。このため、押さえ部材２２３は中継部コネクタ２２０のコンタクト配置領域２２Ｃに対して閉状態としてもコンタクト２２１の延出片部２１ｈに接触せず、延出片部２１ｈとの接触により延出片部２１ｈを傷める心配が無い。
【０１３５】
図１６、図１７に示すように、撮像モジュール１０の後側基板１４は、ハウジング２２２上の位置決めピン２４及びリブ状突壁２５によってハウジング２２２に対して位置決めして、第１主面１４ａがハウジング２２２の基板支持面２２ｂ（上面）に対面する向きでハウジング２２２の基板支持面２２ｂ上に配置される。後側基板１４は、次いで、開状態からハウジング２２２に対して閉方向へ回転させた押さえ部材２２３をハウジング２２２の係止突部２２ｎと係合（係止）させてハウジング２２２に対する閉状態を保つことで、押さえ部材２２３の天板２３ａによってコンタクト配置領域２２Ｃの配置領域上支持面２２ｉに押圧され、ハウジング２２２に固定される。
【０１３６】
図１８に示すように、コンタクト２２１の先端屈曲部２１ｉは、その上側に後側基板１４が載置される前の状態においてコンタクト配置領域２２Ｃの配置領域上支持面２２ｉから若干上側に突出されている。
ハウジング２２２上に配置された後側基板１４は、開状態の押さえ部材２２３の閉方向への回転によってハウジング２２２の基板支持面２２ｂに押し付けられるまでに、コンタクト２２１の可動板部２１ｅをハウジング２２のコンタクト収容溝２６へ押し込む。
その結果、後側基板１４が押さえ部材２２３によってハウジング２２２の基板支持面２２ｂに押圧固定されたときに、コンタクト２２１の先端屈曲部２１ｉは、コンタクト２２１の弾性復元力によって後側基板１４の電極１４ｃとの接触を安定維持する。
【０１３７】
押さえ部材２２３によってハウジング２２２の基板支持面２２ｂに押圧固定された後側基板１４は、基板支持面２２ｂによって基板支持面２２ｂと平行に支持される。
但し、後側基板１４のハウジング２２２の第２台部２２Ｂ上に位置する部分は、第２台部２２Ｂに形成された基板逃げ溝２２ｐ上に配置される。
基板逃げ溝２２ｐの延在方向一端は、ハウジング２２２の第２端面２２ｆに開口している。基板逃げ溝２２ｐは、ハウジング２２２の第２端面２２ｆからコンタクト配置領域２２Ｃ近傍まで、第２台部２２Ｂの長手方向のほぼ全長にわたって延在形成されている。
【０１３８】
後側基板１４は、押さえ部材２２３によって、基板支持面２２ｂにおけるハウジング２２２の第１台部２２Ａ及びコンタクト配置領域２２Ｃに位置する部分に押圧されて基板支持面２２ｂに支持される。押さえ部材２２３によってハウジング２２２の基板支持面２２ｂに押圧固定された後側基板１４の配置領域上支持面２２ｉから第２台部２２Ｂ側に位置する部分は、配置領域上支持面２２ｉから第２台部２２Ｂ側への離間距離が大きいほど下方に位置するように撓んでその少なくとも一部が基板逃げ溝２２ｐに収容された状態となるか、あるいは、配置領域上支持面２２ｉから基板逃げ溝２２ｐ上に張り出した状態となる。
【０１３９】
変形例の中継部コネクタ２２０では、電気ケーブル１３の導体を後側基板１４の第１主面１４ａの前端部の導体接続端子１４ｄに半田付け等によって電気接続した接続箇所を第２台部２２Ｂの基板逃げ溝２２ｐに収容できる。また、基板逃げ溝２２ｐには、電気ケーブル１３の後側基板１４の第１主面１４ａ前端部に沿って配置された部分、電気ケーブル１３を収容した可撓性のチューブ１６の端部も収容可能である。
その結果、電気ケーブル１３の導体を後側基板１４の第１主面１４ａの前端部の導体接続端子１４ｄに半田付け等によって電気接続した接続箇所や、電気ケーブル１３の後側基板１４の第１主面１４ａ前端部に沿って配置された部分や、チューブが、後側基板１４のハウジング２２２の基板支持面２２ｂに対する当接状態に影響を与えることを回避できる。
【０１４０】
変形例の中継部コネクタ２２０では、後側基板１４の第１主面１４ａ前端部に電気ケーブル１３の導体を電気接続した接続箇所が存在していても、コンタクト配置領域２２Ｃの配置領域上支持面２２ｉに対する後側基板１４の浮き上がりを防ぐことができ、配置領域上支持面２２ｉに対する後側基板１４の当接状態を安定かつ確実に維持できる。
また、変形例の中継部コネクタ２２０は、後側基板１４の第１主面１４ａ前端部に沿って、電気ケーブル１３や、電気ケーブル１３を収容したチューブの端部が配置されていても、コンタクト配置領域２２Ｃの配置領域上支持面２２ｉに対する後側基板１４の浮き上がりを防ぐことができ、配置領域上支持面２２ｉに対する後側基板１４の当接状態を安定かつ確実に維持できる。
その結果、この中継部コネクタ２２０は、コンタクト２２１の接触部（図１６では先端屈曲部２１ｉ）の後側基板１４の電極１４ｃに対する接触状態を安定維持でき、撮像モジュール１０の回路とコンタクト２２１との間の電気接続状態を安定に保つことができる。
【０１４１】
変形例に例示したように、第２台部２２Ｂの長手方向複数箇所に基板収容溝２５ａを形成するリブ状突壁２５（幅方向位置決め手段）の対を設けること、ハウジングの第２台部２２Ｂに基板逃げ溝２２ｐを形成すること、第２台部２２Ｂに設けられて基板収容溝２５ａを形成する対を構成するリブ状突壁２５を基板収容溝２５ａを介してその溝幅方向両側に設ける形成すること、は、第１例の中継部コネクタ等、本発明に係る種々の実施形態の中継部コネクタに広く適用可能である。第１台部２２Ａの位置決めピン２４付近に誤挿入防止突壁２２ｑを設けること、コンタクトの先端屈曲部２１ｉ自体を接触部として用いること、も、第１例の中継部コネクタ等、本発明に係る種々の実施形態の中継部コネクタに広く適用可能である。
また、変形例に例示したように、コンタクト配置領域２２Ｃの複数の溝仕切り壁２２ｋの一部のみに係止突部２２ｎが設けられていること、押さえ部材の係合板片２３ｃのハウジング長手方向における係合用窓孔２３ｆを介して両側が係止突部２２ｎが設けられていない溝仕切り壁２２ｋの前端に当接可能であること、も第１例の中継部コネクタ等、本発明に係る種々の実施形態の中継部コネクタに広く適用可能である。
【０１４２】
第１例の中継部コネクタのように、コンタクトの接触部が、可動板部２１ｅの先端屈曲部２１ｉの外角側に可動板部２１ｅ延在方向に沿って延在形成されたリブ状突部であること、ハウジングの第１台部２２Ａ、第２台部２２Ｂのそれぞれに基板収容溝２５ａを形成するリブ状突壁２５の対を一つずつ設けること、コンタクト配置領域２２Ｃの複数の溝仕切り壁２２ｋの全てに係止突部２２ｎを設けること、コンタクト配置領域２２Ｃの複数の溝仕切り壁２２ｋの全てに設けられた係止突部２２ｎを収容可能な係合用窓孔２３ｆが形成された押さえ部材を採用すること、は変形例の中継部コネクタ等、本発明に係る種々の実施形態の中継部コネクタに広く適用可能である。
また、第１例の中継部コネクタのように、基板逃げ溝２２ｐが形成されていないハウジングを採用すること、誤挿入防止突壁２２ｑが設けられていないハウジングを採用することも、変形例の中継部コネクタ等、本発明に係る種々の実施形態の中継部コネクタに広く適用可能である。
【０１４３】
第１例の中継部コネクにて例示したチューブ収容溝２２ｏ（図１参照）は、例えば変形例の中継部コネクタのハウジングのように基板逃げ溝が形成された第２台部２２Ｂにも適用可能である。
但し、基板逃げ溝が形成された第２台部２２Ｂに適用するチューブ収容溝は、基板逃げ溝（具体的にはその溝底）から第２台部２２Ｂのコンタクト配置領域２２Ｃとは逆側の第２端面２２ｆにわたって形成される。このチューブ収容溝は、第２端面２２ｆ側に行くにしたがって第２台部２２Ｂ上面からの深さが深くなるように形成される。
【０１４４】
ハウジングの横断面形状は適宜変更可能である。
この点、例えば、第１例の中継部コネクタのハウジングを前面２２ｃと後面２２ｄとの間隔方向である前後方向の寸法が高さ方向寸法と概ね同じの角棒状のものに変更したり、変形例の中継部コネクタのハウジングを、その前面２２ｃと後面２２ｄとの間隔方向である前後方向の寸法が高さ方向寸法よりも格段に大きい扁平断面で延在する細長板状のものに変更することも可能である。
【０１４５】
以上、本発明を最良の形態に基づいて説明してきたが、本発明は上述の最良の形態に限定されるものではなく、本発明の要旨を逸脱しない範囲で種々の改変が可能である。
上述の実施形態では、電子モジュールの一例として、電子素子に撮像素子を用いた撮像モジュールを例示したが、電子モジュールは撮像モジュールに限定されない。
電子モジュールは、例えば、上述の実施形態の撮像モジュールの電子素子について、撮像素子にかえてレーザ光を出力するレーザ素子あるいはセンサ素子を用いた構成も採用可能である。
【０１４６】
電子モジュールの後側基板をハウジングに設けられたコンタクトの接触部に押し付ける押さえ部材は、ハウジングに軸支された押さえ部材に限定されない。
押さえ部材は、例えば、後側基板をハウジングとともに挟み込んで後側基板をコンタクトの接触部に押し付けるクリップ状弾性部材等も採用可能である。
クリップ状弾性部材は、ハウジングの底面に当接配置される係合部と、後側基板をハウジングとは逆の側からハウジング（具体的にはハウジングの基板支持面）に向かって押圧する押さえ部とを有し、係合部と押さえ部との間に後側基板をハウジングとともに挟み込み可能な構成を採用する。
【０１４７】
中継導体は、金属帯板によって形成され後側基板の押し付けにより弾性変形可能に形成されたコンタクト２１に限定されない。
中継導体は、中継用基板の配線に電気接続されていて、コネクタベース部材に後側基板の電極に接触して電気接続可能に設けられたものであれば良く、例えば、コネクタベース部材の基板支持面上に電極パッドである接触部を含んでコネクタベース部材に形成された配線であっても良い。
【０１４８】
幅方向位置決め手段は、後側基板をハウジングに対して、ハウジングの基板支持面上における長手方向位置決め手段による位置決め方向とは垂直の方向に位置決めするものである。
後側基板が、その片面をハウジングの基板支持面に当接向きで配置した細長板状の基板である場合、幅方向位置決め手段は、基板支持面上の後側基板の長手方向をハウジングにおける複数のコンタクトの配列方向（配列ピッチ方向）に揃え、かつ後側基板を基板支持面におけるコンタクト配列方向（配列ピッチ方向）に垂直の幅方向の所定位置に位置決めする。また、この場合、長手方向位置決め手段は、幅方向位置決め手段によって位置決めされた後側基板をハウジングに対してコンタクト配列方向（配列ピッチ方向）の所定位置に位置決めする。
【０１４９】
長手方向位置決め手段及び幅方向位置決め手段は、例えば、ハウジングの基板支持面上に設定した後側基板の配置位置の周囲に配置位置を取り囲むようにハウジング上に突出形成された位置決め突部、ハウジングから窪む位置決め溝でありその底面が基板支持面とされている構成、等も採用可能である。
【０１５０】
ハウジングの基板支持面上に突出されて幅方向位置決め手段を構成する突出部は、上述の実施形態にて説明したリブ状突壁に限定されない。幅方向位置決め手段を構成する突出部の形状は適宜変更可能である。
【符号の説明】
【０１５１】
１０…電子モジュール（撮像モジュール）、１１…撮像素子、１１ａ…受光面、１２…ヘッド側基板、１３…電気ケーブル、１３ａ…外装被覆、１３ｂ…同軸ケーブル、１３ｃ…中心導体、１３ｄ…外部導体、１４…後側基板（後側基板）、１４ａ…第１主面、１４ｂ…第２主面、１４ｃ…電極、１４ｄ…導体接続端子、１４ｄ１…中心導体接続端子、１４ｄ２…外部導体接続端子、１４ｄ３…副導体接続端子、１４ｅ…ピン係止穴（第１治具掛け孔）、１４ｆ…ピン係止穴（第２治具掛け孔）、１５…チューブ、１６…チューブ付きモジュール、２０…中継部コネクタ、２０Ａ…コネクタベース部材、２０Ｕ…ベースユニット、２１…中継導体、コンタクト、２１ａ…接触部、２１ｂ…接続部、２１ｃ…中央屈曲部、２１ｄ…主板部、２１ｅ…可動板部、２１ｆ…張り出し部、２１ｇ…固定用突起、２１ｈ…延出片部、２１ｉ…先端屈曲部、２２…ハウジング、２２Ａ…第１台部、２２Ｂ…第２台部、２２Ｃ…コンタクト配置領域、２２ａ…底面、２２ｂ…基板支持面、２２ｃ…前面、２２ｄ…後面、２２ｅ…第１端面、２２ｆ…第２端面、２２ｇ…溝底壁、２２ｈ…溝後壁、２２ｉ…配置領域上支持面、２２ｊ…嵌合突起、２２ｋ…溝仕切り壁、２２ｍ…係止用溝、２２ｎ…（係止部）係止突部、２２ｏ…チューブ収容溝、２２ｐ…基板逃げ溝、２２ｑ…誤挿入防止突壁、２２ｒ…延出片部配置凹部、２３…押さえ部材、２３ａ…押さえ部（天板）、２３ｂ…軸支用突片、２３ｃ…係合部（係合板片）、２３ｄ…押さえ面、２３ｅ…連続部、２３ｆ…係合用窓孔、２３ｇ…操作片、２４…長手方向位置決め手段、位置決めピン、２４ａ…位置決めピン（第２位置決めピン）、２５…幅方向位置決め手段、突出部（リブ状突壁）、２５ａ…基板収容溝、２６…コンタクト収容溝、２６ａ…主溝部、２６ｂ…案内溝、２７…回転軸、３０、３０Ａ…中継ユニット、３１…中継用基板、３１ａ…主面、３１ｂ…配線、３１ｃ…端子接続電極、３２…外部接続コネクタ、３２ａ…外部接続端子、３２ｂ…端子支持体、３２ｃ…収容筒、３２ｄ…相手コンタクト挿入空間、３３…基板収容ハウジング、３４…外部接続端子、３５…電線、３６…接続部カバー、３７…コネクタハウジング、３７ａ…ハウジング本体、３７ｂ…ブーツ、３７ｃ…押さえリング、３８…端子支持板、３９…外部接続コネクタ、２２０…中継部コネクタ、２２１…中継導体、コンタクト、２２０Ａ…コネクタベース部材、２２０Ｕ…ベースユニット、２２２…ハウジング、２２３…押さえ部材、５０…電子内視鏡システム、５１…ビデオ処理表示装置、５２…レセプタクル、Ｕ１、Ｕ２…電子部品ユニット（撮像ユニット）。
【図１】
2020042915.tif 000003
【図２】
2020042915.tif 000004
【図３】
2020042915.tif 000005
【図４】
2020042915.tif 000006
【図５】
2020042915.tif 000007
【図６】
2020042915.tif 000008
【図７】
2020042915.tif 000009
【図８】
2020042915.tif 000010
【図９】
2020042915.tif 000011
【図１０】
2020042915.tif 000012
【図１１】
2020042915.tif 000013
【図１２】
2020042915.tif 000014
【図１３】
2020042915.tif 000015
【図１４】
2020042915.tif 000016
【図１５】
2020042915.tif 000017
【図１６】
2020042915.tif 000018
【図１７】
2020042915.tif 000019
【図１８】
2020042915.tif 000020
【図１９】
2020042915.tif 000021